(57)【要約】【課題】ＩＣカードリーダーを保持するホルダーがオプション部品として装着されるホルダー収納部を備えた画像形成装置において、部品を不必要に増やしたり、ホルダーの形状を機種毎に異ならせたりすることなく、ＩＣカードリーダーを安価な構成でオプション装着できるようにする。【解決手段】画像形成装置は、ホルダーの高さ方向の位置決めを行う高さ決め部材２４を備えている。高さ決め部材２４は、ホルダーの非装着時には、所定フレーム部材２５に組付けられて該所定フレーム部材２５の一部として機能する。【選択図】図１０
2019198018.tif 000002
【特許請求の範囲】
【請求項１】
ＩＣカードリーダーを保持するホルダーがオプション部品として装着されるホルダー収納部を備えた画像形成装置であって、
上記ホルダーの高さ方向の位置決めを行う高さ決め部材を備え、
上記高さ決め部材は、上記ホルダーの非装着時には、所定フレーム部材に組付けられて該所定フレーム部材の一部として機能する一方、上記ホルダーの装着時には該所定フレーム部材から分離されて向きを変更して使用され、上記ホルダーと上記ホルダー収納部の底面との間に介在することで上記ＩＣカードリーダーの検知面を所定高さに位置させるように構成されている、画像形成装置。
【請求項２】
請求項１記載の画像形成装置であって、
画像形成装置本体と、該画像形成装置本体の上側に設けられた画像読取装置とを備え、
上記画像読取装置は、上面にコンタクトガラスが装着されたスキャナー筐体を有し、
上記所定フレーム部材は、上記画像形成装置本体のフレーム部材の上面に取付けられて上記スキャナー筐体の外装カバーを裏面側から支持する支持フレーム部材であり、
上記ホルダーの非装着時における上記高さ決め部材の上端面は、上記支持フレーム部材の上端面と同じ高さに位置して上記外装カバーの裏面を支持する支持面として機能する、画像形成装置。
【請求項３】
請求項２記載の画像形成装置であって、
上記ホルダー収納部は、上記画像形成装置本体のフレーム部材と上記外装カバーとの間の空間に設けられ、
上記外装カバーにおける上記ホルダー収納部の上側には、上記ＩＣカードリーダーの電波を透過する透過板により閉塞された開口部が形成され、
上記高さ決め部材は、上記ホルダーの装着時において、上記ＩＣカードリーダーの検知面が上記透過板の下側に位置するように、上記ホルダーの水平面内における位置決めも行うように構成されている、画像形成装置。
【発明の詳細な説明】
【技術分野】
【０００１】
本発明は、ＩＣカードリーダーをオプションとして装着可能な画像形成装置に関する。
【背景技術】
【０００２】
近年、ユーザーのセキュリティ意識が高まる中で、ＩＣカードリーダーを搭載した画像形成装置が普及している。ＩＣカードリーダーは、個人コード等のデータが入力された非接触式のＩＣカードの情報を読取る検知面を有している。ユーザーがＩＣカードを検知面にかざすと、該ＩＣカードに入力されたデータがＩＣカードリーダーによって読み取られる。ＩＣカードリーダーは、画像形成装置に必ずしも標準装備されるものではなく、オプション機器とて装備される場合もある。
【０００３】
このような画像形成装置として、例えば特許文献１には、ＩＣカードリーダーを操作パネルに取付けた例が開示されている。ＩＣカードリーダーは、その配線の取り回し等を容易に行うために箱状のホルダーに保持された後に操作パネルに取付けられる。操作パネルには、ホルダーが収納される収納部が設けられている。この収納部は、底面と側面とに囲まれて一面に開口部が形成されている。そして、ＩＣカードリーダーの検知面は、該開口部近傍の所定位置に位置している。
【先行技術文献】
【特許文献】
【０００４】
【特許文献１】特開２０１６−０６０１７４号公報
【発明の概要】
【発明が解決しようとする課題】
【０００５】
ＩＣカードリーダーの取付け箇所は、特許文献１に示すように操作パネルに限ったものではなく、画像読取ユニット上面や、画像形成装置本体の前面など様々である。このため、ＩＣカードリーダーの取付け箇所によっては、ホルダーの収納部の深さが深すぎて、既存のホルダーを使用すると、ＩＣカードリーダーの検知面が規定位置に達しない場合がある。
【０００６】
この問題を解決するべく、ホルダーの高さ方向の位置決めを行う置き台（高さ決め部材）を設けることが考えられる。しかし、ＩＣカードリーダーはオプションとして装備される場合が多いので、高さ決め部材をホルダー収納部の底壁に常時設けたとすると、ＩＣカードリーダーを必要としないユーザーにとっては不必要な部品が一つ増えてコスト増加となる。
【０００７】
そこで、ＩＣカードリーダーの取付け箇所に応じて（ホルダーの収納部の深さに応じて）形状が異なる専用ホルダーを新規に製造することも考えられる。しかしこの場合、既に市場に流通している既存のホルダーが無駄になってしまう。また、ホルダーの機種が不必要に増えて管理負担が増加するという問題がある。
【０００８】
本発明は、かかる点に鑑みてなされたものであり、その目的とするところは、既存のホルダーを流用しつつ、ＩＣカードリーダーを安価な構成で画像形成装置にオプションとして装着可能にすることにある。
【課題を解決するための手段】
【０００９】
本発明に係る画像形成装置は、ＩＣカードリーダーを保持するホルダーがオプション部品として装着されるホルダー収納部を備えている。
【００１０】
そして、上記ホルダーの高さ方向の位置決めを行う高さ決め部材を備え、上記高さ決め部材は、上記ホルダーの非装着時には、所定フレーム部材に組付けられて該所定フレーム部材の一部として機能する一方、上記ホルダーの装着時には該所定フレーム部材から分離されて向きを変更して使用され、上記ホルダーと上記ホルダー収納部の底面との間に介在することで上記ＩＣカードリーダーの検知面を所定高さに位置させるように構成されている。
【発明の効果】
【００１１】
本発明によれば、既存のホルダーを流用しつつ、ＩＣカードリーダーを安価な構成で画像形成装置にオプションとして装着することができる。
【図面の簡単な説明】
【００１２】
【図１】図１は、実施形態における画像形成装置の全体構成を示す概略図である。
【図２】図２は、図１におけるII−II線断面に相当する概略図である。
【図３】図３は、画像形成装置を左側から見た概略側面図である。
【図４】図４は、ＩＣカードの情報読取部を斜め上方から見た斜視図である。
【図５】図５は、図４のＶ方向矢視図である。
【図６】図６は、高さ決め部材を示す斜視図である。
【図７】図７は、高さ決め部材を示す斜視図である。
【図８】図８は、ＩＣカードリーダーをオプションとして装着する場合におけるホルダーの取付け構造を示す斜視図である。
【図９】図９は、図８のIＸ−IX線における切断図である。
【図１０】図１０は、ＩＣカードリーダーの非装着時における図８相当図である。
【図１１】図１１は、ＩＣカードリーダーの非装着時における図５相当図である。
【発明を実施するための形態】
【００１３】
以下、本発明の実施形態を図面に基づいて詳細に説明する。尚、本発明は、以下の実施形態に限定されるものではない。
【００１４】
《実施形態》
図１〜図３は、実施形態における画像形成装置Ｘを示している。画像形成装置Ｘは、画像読取装置１００により読取った原稿画像を印刷する複写機である。画像形成装置Ｘは、複写機に限ったものではなく、ファクシミリや複数種のジョブを実行可能な複合機（ＭＦＰ）等であってもよい。以下の説明において、前側、後側は、画像形成装置Ｘの前側、後側（図１の紙面垂直方向の前側、後側）を意味し、左側、右側は画像形成装置Ｘを前側から見たときの左側、右側を意味する。
【００１５】
画像形成装置Ｘは、外観視で矩形箱状をなす画像形成装置本体１を有しており、画像形成装置本体１の上側には画像読取装置１００が配置されている。画像読取装置１００の前側面には操作パネル１００ａが突設されている（図２及び図３参照）。また、画像形成装置Ｘは、後述するようにＩＣカードの情報を読取る情報読取部２０を備えている。
【００１６】
図１を参照して、画像形成装置本体１は、給紙部２、画像形成部３、及び定着部４を有している。給紙部２は、束状に積層された複数の用紙Ｐが収容された給紙カセット５と、給紙カセット５内の用紙Ｐを一枚ずつ引き出して所定の用紙搬送路Ｔに供給するピックアップローラー６とを有している。用紙搬送路Ｔは、給紙部２から上側に向かって延びた後に水平方向に延びて原稿排出トレイ７に繋がっている。
【００１７】
画像形成部３は、感光体ドラム８、帯電装置９、現像装置１０、トナーコンテナ１１、転写ローラー１２、及び除電装置１３を備えている。そして、画像形成部３では、給紙部２から供給される用紙Ｐに以下の手順で画像を形成する。具体的には、先ず帯電装置９が感光体ドラム８を所定の電位に帯電させる。次に、不図示のレーザースキャニングユニット（ＬＳＵ）により感光体ドラム８の表面に画像データに基づく光を照射する。これにより、感光体ドラム８の表面に静電潜像を形成する。そして、現像装置１０が感光体ドラム８上の静電潜像にトナーを供給して現像する。転写ローラー１２は、用紙Ｐを挟んで感光体ドラム８の表面に圧接して回転する。このとき、転写ローラー１２には転写電圧が印加されているので、感光体ドラム８の表面のトナー像が用紙Ｐに転写される。除電装置１３は、用紙Ｐにトナー像を転写した後の感光体ドラム８の表面の電荷を除電する。
【００１８】
定着部４は、互いに圧接された定着ローラー１５及び加圧ローラー１６を有している。定着ローラー１５内にはヒーターが内蔵されている。定着部４は、定着ローラー１５及び加圧ローラー１６により用紙Ｐを挟持して搬送しながらトナー像を加熱及び加圧して当該用紙Ｐに定着させる。
【００１９】
画像読取装置１００は、画像形成装置本体１の上側に載置されたスキャナー筐体１０１と、スキャナー筐体１０１の上面に開閉可能に取付けられた原稿押さえカバー１０２とを有している。
【００２０】
スキャナー筐体１０１は外観視で矩形箱状をなしている。スキャナー筐体１０１の上壁には開口部が形成され、この開口部にはコンタクトガラス１０１ａが装着されている。スキャナー筐体１０１内には、コンタクトガラス１０１ａに載置された原稿の画像を光学的に読取る読取りユニットが収容されている。読取ユニットは、コンタクトガラス１０１ａ上に載置された原稿に向けて光源より光を照射し、その反射光をイメージセンサーにより読み取ることで原稿画像を読取ってその画像データを生成する。
【００２１】
＜情報読取部の構成＞
図２〜図４に示すように、情報読取部２０は、スキャナー筐体１０１の前側に設けられた外装カバー２３の左右方向の中央部に位置している。
【００２２】
情報読取部２０はＩＣカードリーダー２１を有している。ＩＣカードリーダー２１は外観視が偏平な矩形箱状をなしている。ＩＣカードリーダー２１の上面には検知面２１ａ（図４参照）が設けられている。ユーザーがＩＣカードを検知面２１ａにかざすと、ＩＣカードに入力された個人コード等のデータがＩＣカードリーダー２１によって読取られる。上記ＩＣカードリーダー２１は、画像形成装置Ｘに標準装備されておらず、ユーザーが希望する場合にのみオプションで装着される。
【００２３】
図５に示すように、ＩＣカードリーダー２１を装着する場合にはホルダー２２を使用する。ホルダー２２は矩形箱状の樹脂性部材からなり、ＩＣカードリーダー２１はホルダー２２の内側に嵌め込んで保持される。ホルダー２２を使用することによりＩＣカードリーダー２１の配線の取回し等が簡素化されて、ＩＣカードリーダー２１の取付けが容易になる。
【００２４】
ホルダー２２は、外装カバー２３と画像形成装置本体１のフレーム部材１ａの上面との間のホルダー収納空間Ｓ（ホルダー収納部）に装着される。外装カバー２３は、スキャナー筐体１０１の前側面全体を覆うように左右方向に延びている。外装カバー２３は水平部２３ａと鉛直部２３ｂ（図４参照）とからなる断面Ｌ字状の樹脂性カバーである。外装カバー２３の水平部２３ａはスキャナー筐体１０１（図４では図示省略）の上面と面一になって略連続的に繋がっている。鉛直部２３ｂはスキャナー筐体１０１の前側面に対して間隔を空けて平行に配置されている。フレーム部材１ａは、鉄板等の金属部材で構成された板状部材である。フレーム部材１ａは、画像形成装置本体１の上面の前端縁に沿って左右方向の全体に亘って延びている。
【００２５】
上記ホルダー２２は、ホルダー収納空間Ｓ内において後述する高さ決め部材２４を介して上記フレーム部材１ａの上面に固定されている。フレーム部材１ａの上面にはさらに外装カバー２３を裏面から支持する支持フレーム部材２５（所定フレーム部材の一例。図５参照）が固定されている。支持フレーム部材２５は、スキャナー筐体１０１の前側面に沿って左右方向に延びる断面コ字状の金属部材からなる。支持フレーム部材２５は、スキャナー筐体１０１の前側面の位置を規制する規制部材としても機能する。
【００２６】
支持フレーム部材２５は、上記ホルダー収納空間Ｓの後方に位置する部分に分断部Ｋを有している。支持フレーム部材２５は、この分断部Ｋを挟んで左側の左側支持フレーム部２５ａと右側の右側支持フレーム部２５ｂとに分かれている。
【００２７】
上記外装カバー２３おけるホルダー収納空間Ｓの上側に位置する部分には、左右方向に延びる矩形状の開口部２３ｃが形成されている。この開口部２３ｃは、ＩＣカードリーダー２１の電波を透過し易い板状の透過板２６（図４参照）により閉塞されている。そうして透過板２６は外装カバー２３の一部を構成している。上記高さ決め部材２４は、ＩＣカードリーダー２１の検知面２１ａが透過板２６の下面に略当接するように（つまり所定高さに位置するように）ホルダー２２の高さ方向の位置決めを行う。また、本実施形態では、高さ決め部材２４は、後述するようにホルダー２２の高さ位置のみでなく水平面内の位置決め（左右方向及び前後方向の位置決め）も行う。
【００２８】
＜高さ決め部材の構成＞
図６及び図７に示すように、高さ決め部材２４は、下側に開放する矩形箱状をなしている。高さ決め部材２４は板金部材を折り曲げて形成されている。具体的には、高さ決め部材２４は、ホルダー２２が載置される矩形状の載置板部２４ａと、載置板部２４ａの四辺から下側に折れ曲がって垂下する鉛直板状の四つの脚板部２４ｂ〜２４ｅとを有している。
【００２９】
載置板部２４ａの中央部には、長手方向に延びるとともに上側に起立する係合片２４ｆが折曲げ形成されている。また、載置板部２４ａの長手方向に延びる一方の辺部の近傍には、係合片２４ｆと平行に起立する小片状の位置規制板２４ｇが折曲げ形成されている。
【００３０】
四つの脚板部２４ｂ〜２４ｅは、載置板部２４ａの長手方向にて対向する一対の脚板部２４ｂ，２４ｃと、短手方向にて対向する一対の脚板部２４ｄ，２４ｅとからなる。一対の脚板部２４ｂ，２４ｃの下端部には、上記長手方向の外側に直角に折れ曲がって突出する取付板部２４ｈ，２４ｉが形成されている。各取付板部２４ｈ，２４ｉにはそれぞれ、ボルト挿通孔２４ｋ，２４ｌが二つずつ形成されている。
【００３１】
そして、図８に示すように、高さ決め部材２４は、ＩＣカードリーダー２１の装着時には、載置板部２４ａのホルダー載置面が上側を向く状態でフレーム部材１ａの上面にボルトで固定される。また、この固定状態において、高さ決め部材２４の長手方向は左右方向に一致している。載置板部２４ａの上面にホルダー２２を載置することで、ホルダー２２がフレーム部材１aの上面に対して四つの脚板部２４ｂ〜２４ｅの高さ分だけ上側に位置決めされる。
【００３２】
また、図９に示すようにホルダー２２の底面には左右方向に延びる係合凹部２２ａが形成されている。そして、ホルダー２２を載置板部２４ａの上面に載置した際にはこの係合凹部２２ａが、載置板部２４ａから起立する係合片２４ｆに係合する。このことでホルダー２２の左右方向及び前後方向の位置決めがなされる。また、ホルダー２２を載置板部２４ａの上面に載置した状態で上記位置規制板２４ｇがホルダー２２の下端部の傾斜壁２２ｂに当接することで、ホルダー２２が前後方向に移動不能に強固に位置決めされる。
【００３３】
このように高さ決め部材２４は、ＩＣカードリーダー２１の装着時にはホルダー２２の位置決め部材として機能する一方、ＩＣカードリーダー２１の非装着時には支持フレーム部材２５の一部として機能する。
【００３４】
図１０は、高さ決め部材２４を支持フレーム部材２５の一部として機能させた状態を示している。この場合、高さ決め部材２４は、載置板部２４ａの載置面が前側を向いて、脚板部２４ｂ〜２４ｅが載置板部２４ａから後側に延びる状態で配置される。そして、載置板部２４ａの左側端縁から延びる脚板部２４ｂの取付板部２４ｈを左側支持フレーム部２５ａの前側面に当接させる。この状態で、ボルト挿通孔２４ｋに挿通したボルトにより取付板部２４ｈを左側支持フレーム部２５ａに固定する。また、脚板部２４ｅ（図６参照）のボルト挿通孔２４ｍにボルトを挿通して脚板部２４ｅをフレーム部材１ａの上面に固定する。
【００３５】
そうして固定された高さ決め部材２４の上端面（脚板部２４ｄの厚さ方向の一側面）は、図１１に示すように、左右の支持フレーム部２５ａ，２５ｂの上端面と同じ高さ位置に位置して外装カバー２３及び透過板２６（外装カバー２３の一部）の支持面として機能する。
【００３６】
＜作用効果＞
以上説明したように、画像形成装置Ｘは、ＩＣカードリーダー２１を保持するホルダー２２の高さ方向の位置決めを行う高さ決め部材２４を備えている。この高さ決め部材２４は、ホルダー２２の非装着時には、外装カバー２３の裏面を支持する支持フレーム部材２５に組付けられて該支持フレーム部材２５の一部として機能する。一方、ホルダー２２の装着時には、高さ調整部材２４は、支持フレーム部材２５から分離されて向きを変更して使用され、ホルダー２２とホルダー収納空間Ｓの底面（フレーム部材１ａの上面）との間に介在することでＩＣカードリーダー２１の検知面２１ａを所定高さに位置させる。
【００３７】
この構成によれば、ＩＣカードリーダー２１の装着を希望しないユーザーにとって、不必要な部品であるはずの高さ決め部材２４が、支持フレーム部材２５の一部として有効に利用されている。このため、不必要な（無駄な）部品が増えることによるコスト増加を回避することができる。また、ＩＣカードリーダー２１の装着を希望するユーザーにとっては、高さ決め部材２４を新たにオプション部品として購入する必要がないので、コスト負担が低減される。また、既存のホルダー２２を流用することができるので、専用ホルダーを新規に設計・製造する場合に比べてコストを低減することができる。
【００３８】
また、ホルダー２２の非装着時における高さ決め部材２４の上端面は、支持フレーム部材２５の上端面と同じ高さに位置して、外装カバー２３の裏面を支持する支持面として機能する。
【００３９】
これにより、高さ決め部材２４を支持フレーム部材２５の一部として有効に機能させることができる。
【００４０】
また、外装カバー２３におけるホルダー収納空間Ｓの上側には開口部２３ｃが形成され、開口部２３ｃはＩＣカードリーダー２１の電波を透過する透過板２６により閉塞されている。そして、高さ決め部材２４は、ホルダー２２の装着時には、ＩＣカードリーダー２１の検知面２１ａが透過板２６の下側に位置するように係合片２４ｆによってホルダー２２の水平面内の位置決めを行う。  
【００４１】
これによれば、高さ決め部材２４を、ホルダー２２の水平面内の位置決め部材としても兼用される。よって、部品点数を低減して低コスト化を図ることができる。
【産業上の利用可能性】
【００４２】
以上説明したように、本発明は、ＩＣカードリーダーをオプションとして装着可能な画像形成装置について有用である。
【符号の説明】
【００４３】
Ｓ        ：ホルダー収納空間（収納部）
Ｘ        ：画像形成装置
１        ：画像形成装置本体
１ａ      ：画像形成装置本体のフレーム部材
２１      ：ＩＣカードリーダー
２１ａ    ：検知面
２２      ：ホルダー（オプション部品）
２３      ：外装カバー
２３ｃ    ：開口部
２４      ：高さ決め部材
２５      ：支持フレーム部材（所定フレーム部材）
２６      ：透過板
１００    ：画像読取装置
１０１    ：スキャナー筐体
１０１ａ  ：コンタクトガラス
【図１】
2019198018.tif 000003
【図２】
2019198018.tif 000004
【図３】
2019198018.tif 000005
【図４】
2019198018.tif 000006
【図５】
2019198018.tif 000007
【図６】
2019198018.tif 000008
【図７】
2019198018.tif 000009
【図８】
2019198018.tif 000010
【図９】
2019198018.tif 000011
【図１０】
2019198018.tif 000012
【図１１】
2019198018.tif 000013